(57)【要約】梯子車やヘリコプタなどによる救助が困難な高層建築物で火災などが発生した切迫した状況下における最終的な脱出装置を提供する。ビル１２から脱出を試みる脱出者１４は、移送装置３０を背負って、ビル１２の窓１３などから飛び降りる。すると、ゴムロープ２２及び補助ロープ２４がロープ収納装置２０から引き出される。更に脱出者１４が落下すると、ゴムロープ２２が伸びるようになり、脱出者１４の速度は徐々に低下する。脱出者１４が地面に到着すると概略ゴムロープ２２が伸び切った状態となり、脱出者１４は緩やかに着地することができる。補助ロープ２４が、脱出者１４が着地した時点でＬ字アーム３４を引っ張るため、ゴムロープ２２がＬ字アーム３４から外れる。従って、バンジージャンプのように、脱出者１４がゴムロープ２２が縮むことによって再び上方に引き戻される恐れはない。
2003039678.tif 000002
【特許請求の範囲】
【請求項１】
概略の着地位置で伸び切った状態となるように予め設定されたゴムロープ，
前記ゴムロープが引出可能に収納されており、高所位置に取り付けられたロープ収納手段，
前記ゴムロープの先端に設けられており、脱出ないし降下時に脱出者が掴まる掴まり手段，
を備えたことを特徴とする脱出装置。
【請求項２】
前記脱出者がその重さを略一定にするための錘を付けることを特徴とする請求項１記載の脱出装置。
【請求項３】
概略の着地位置で伸び切った状態となるように予め設定されたゴムロープ，
概略脱出者の飛び降り位置から前記着地位置に至る長さの補助ロープ，
前記ゴムロープ及び補助ロープが引出可能に収納されており、高所位置に取り付けられたロープ収納手段，
前記ゴムロープ及び補助ロープの先端に設けられており、脱出ないし降下時に脱出者が取り付ける移送手段，
脱出者が着地する際に、前記補助ロープが伸び切って前記ゴムロープを前記移送手段から取り外すゴムロープ取外手段，
を備えたことを特徴とする脱出装置。
【請求項４】
前記ゴムロープ取外手段を、Ｌ字アームの先端側に取り付けられた前記ゴムロープが、着地の際に前記補助ロープによって前記Ｌ字アームから外れる機構としたことを特徴とする請求項３記載の脱出装置。
【請求項５】
前記脱出者がその重さを略一定にするための錘を付けることを特徴とする請求項３記載の脱出装置。
【請求項６】
概略の移送地点で伸び切った状態となるように予め設定されたゴムロープ，
該ゴムロープの移送距離に相当する長さの補助ロープ，
前記ゴムロープ及び補助ロープが引出可能に収納されており、高所位置に設けられたロープ収納手段，
前記ゴムロープ及び補助ロープの先端に設けられるとともに、他のゴムロープ及び補助ロープが引出可能に収納された第１の移送手段，
前記他のゴムロープ及び補助ロープの先端に設けられており、前記第１の移送手段に対して着脱可能に連結されるとともに、脱出ないし降下時に脱出者を固定又は収容する第２の移送手段，
前記ゴムロープが概略伸び切った際に、該ゴムロープを、伸び切った先の移送手段から取り外すゴムロープ取り外し手段，
を備えたことを特徴とする脱出装置。
【請求項７】
前記第１の移送手段を、着脱可能に複数段連結したことを特徴とする請求項６記載の脱出装置。
【請求項８】
前記ゴムロープ取外手段を、Ｌ字アームの先端側に取り付けられた前記ゴムロープが、着地の際に前記補助ロープによって前記Ｌ字アームから外れる機構とするとともに、前記Ｌ字アームの他端側に形成された連結手段によって、前記第１の移送手段と第２の移送手段との間を着脱可能に連結したことを特徴とする請求項６記載の脱出装置。
【請求項９】
前記第２の移送手段の側面に、前記脱出者を収容するためのゴンドラを設けたことを特徴とする請求項６記載の脱出装置。
【請求項１０】
前記脱出者がその重さを略一定にするための錘を付けることを特徴とする請求項６記載の脱出装置。
【発明の詳細な説明】
「技術分野」
本発明は、ビルなどの高所，特に梯子車やヘリコプタなどによる救助が困難な高層ビルからの脱出ないし降下に好適な脱出装置に関するものである。
「背景技術」
２００１年９月１１日に米国で、テロリストにハイジャックされた旅客機が凶器となってビルに衝突するという衝撃的なテロ事件が発生し、高層ビルが倒壊した。この事件では、高層階で火災が発生して多数の人が犠牲になってしまった。低層階であれば、梯子車による救出が可能であるが、中層や高層になると、ヘリコプタなどによる救出に頼ることになる。しかし、最近のようにビルがますます高層化すると、ビル風などが影響してヘリコプタによる救助も困難を極めるようになる。一方、火災による熱や煙のため、被害者は高層ビルの窓から外に出ようとするが、高層階から飛び降りても助かる可能性はない。また、低層階であっても、道路事情などによっては梯子車などによる救助が困難な場合もある。
本発明は、以上の点に着目したもので、高所から低所への脱出ないし降下，特に、火災などが発生した場合のような切迫した状況下における最終的な脱出ないし降下を可能とすることを、その目的とするものである。
「発明の開示」
前記目的を達成するため、本発明は、概略の着地位置で伸び切った状態となるように設定したゴムロープを高所位置に収納するとともに、該ゴムロープの先端に脱出者が掴まる掴まり手段を設け、これをもって脱出者が高所から低所に飛び降りるようにしたことを特徴とする。
他の発明は、前記掴まり手段の代わりに移送手段を設け、脱出者が着地する際に、前記ゴムロープを前記移送手段から取り外すことを特徴とする。
更に他の発明は、概略脱出者の飛び降り位置から前記着地位置に至る長さの補助ロープを備えており、脱出者が着地する際に、前記補助ロープが伸び切って前記ゴムロープを前記移送手段から取り外すことを特徴とする。
この発明の前記及び他の目的、特徴、利点は、次の詳細な説明及び添付図面から明らかであろう。
「発明を実施するための最良の形態」
本発明には、使用するときの環境と条件により適合する数多くの実施形態がありうるが、ここでは適当な数の実施形態を示して説明する。
（１）実施形態１
以下、本発明の実施の形態について詳細に説明する。最初に図１を参照して概略を説明する。本発明の基本的な原理は、いわゆるバンジージャンプである。図１（Ａ）に示すように、脱出装置１０は、ロープ収納装置２０と移送装置３０によって構成されており、ロープ収納装置２０はビル１２の窓１３側に設けられている。ロープ収納装置２０と移送装置３０は、バンジージャンプと同様のゴムロープ２２と、予め設定した着地位置でゴムロープ２２を移送装置３０から外すための補助ロープ２４によって接続されている。これらゴムロープ２２及び補助ロープ２４は、いずれもロープ収納装置２０内に引出可能に収納されている。
これらのうち、ロープ収納装置２０は、図３（Ａ）に示す構成となっている。同図において、固定用の筐体２０Ａには、回転軸２０Ｂ，２０Ｃがそれぞれ水平方向に回転可能に設けられている。回転軸２０Ｂ，２０Ｃには、リール２０Ｄ，２０Ｅがそれぞれ設けられている。これらのうち、リール２０Ｄにはゴムロープ２２が巻回されており、リール２０Ｅには補助ロープ２４が巻回されている。なお、ゴムロープ２２及び補助ロープ２４の一端は、リール２０Ｄ，２０Ｅにそれぞれ固定されている。また、ゴムロープ２２及び補助ロープ２４の他端は、筐体２０Ａ下側の開口２０Ｆから引き出され、移送装置３０に接続されている。
次に、移送装置３０は、図３（Ｂ）に示す構成となっている。同図において、移送装置３０は、ビル１２から脱出ないし降下しようとする者（本出願では「脱出者」という）１４が背負うことができるようなバックパック構造となっており、筐体３０Ａの側面３０Ｂに背負うための一対のベルト３０Ｃがそれぞれ設けられている。
筐体３０Ａの底側であって側面３０Ｄ，３０Ｅ間には、軸３０Ｆが設けられており、その略中央にＬ字アーム３２が回転可能に設けられている。軸３０ＦとＬ字アーム３２を固定し、軸３０Ｆが筐体３０Ａに対して回転可能な構造としてもよいし、軸３０Ｆを筐体３０Ａに固定し、軸３０Ｆに対してＬ字アーム３２が回転可能な構造としてもよい。
Ｌ字アーム３２と軸３０Ｆとの結合部分にはバネ機構３２Ａが設けられており、このバネ機構３２Ａによって該Ｌ字アーム３２の先端部３２Ｂが図３（Ａ）に示したベルト３０Ｃの方向に付勢されている。上述したゴムロープ２２の先端は、このＬ字アーム３２の先端部３２Ｂに着脱可能に懸架されている。
一方、筐体３０Ａの側面３０Ｇの上方内側には、滑車３４が金具３４Ａによって回転可能に設けられている。上述した補助ロープ２４は、この滑車３４を介して前記Ｌ字アーム３２の曲折部３２Ｃに懸架・固定されている。
ゴムロープ２２は、脱出者１４が移送装置３０を背負ってビル１２から飛び降りたときに、概略着地位置で伸び切った状態となるように、予め長さ・太さなどが設定されている。また、補助ロープ２４は、脱出者１４が移送装置３０を背負ってビル１２から飛び降りたときに、概略着地位置でＬ字アーム３２を引っ張るように、長さや強度などが予め設定されている。
次に、本実施形態の作用を説明する。ビル１２から脱出を試みる脱出者１４は、図１（Ａ）に示すように、移送装置３０を背負って、ビル１２の窓１３などから飛び降りる。すると、ゴムロープ２２及び補助ロープ２４がロープ収納装置２０から引き出される。更に脱出者１４が落下すると、ゴムロープ２２が伸びるようになり、脱出者１４の速度は徐々に増大し、最大点を過ぎるとやがて低下するようになる。一方、補助ロープ２４は、引き続いてロープ収納装置２０から引き出される。以上の動作中は、移送装置３０内は、図４（Ａ）に示す状態となっている。
そして、図１（Ｂ）に示すように、脱出者１４が地面に到着すると概略ゴムロープ２２が伸び切った状態となり、脱出者１４は緩やかに着地することができる。一方、補助ロープ２４は、脱出者１４が着地した時点で、Ｌ字アーム３２を引っ張る。すると、Ｌ字アーム３２がバネ機構３２Ａのバネに抗して、軸３０Ｆを中心に回転する。これにより、図４（Ｂ）及び図２（Ａ）に示すように、ゴムロープ２２がＬ字アーム３２から外れる。このため、バンジージャンプのようなゴムロープ２２の縮みによる脱出者１４の上方への引戻しが防止される。脱出者１４は、図２（Ｂ）に示すように移送装置３０を外して安全な場所に避難する。
以上のように、本実施形態によれば、梯子車やヘリコプタなどによる救助が困難な場合において更に火災などが発生したという切迫した状況下でも、脱出を試みることができる。火災が発生したような場合、火災の熱や煙によって窓から飛び降り、結果的に死亡してしまうケースが見受けられるが、本装置によって安全に脱出できる可能性が向上する。
（２）実施形態２
次に、図５を参照して、本発明の実施形態２について説明する。上述した実施形態１では、ロープ収納装置２０と移送装置３０によって脱出装置を構成することとしたが、本実施形態は、移送装置を設けない構成としたものであり、中低層のビルなどからの脱出に好適な例である。なお、上述した実施形態１と同様の構成要素には、同一の符号を用いる。
図５に示すように、脱出装置４０は、ビル４４の窓４６側に設けられている。ゴムロープ２２の一端は、ロープ収納装置２０内に引出可能に収納されており、他端には、脱出者１４が掴るためのハンドル４２が設けられている。ゴムロープ２２は、脱出者１４がビル４４の窓４６から飛び降りたときに、概略着地位置で伸び切った状態となるように予め設定されている。
本実施形態の作用を説明すると、まず、ビル４４から脱出を試みる脱出者１４は、図５（Ａ）に示すように、ゴムロープ２２のハンドル４２に両手で掴まり、窓４６から飛び降りる。すると、ゴムロープ２２がロープ収納装置２０から引き出され、脱出者１４は降下する。ゴムロープ２２がすべてロープ収納装置２０から引き出されると、今度はゴムロープ２２が伸びるようになる。そして、ゴムロープ２２が概略伸び切った状態となると、脱出者１４は地面に到着する。脱出者１４は、同図（Ｂ）に示すように、着地した時点（もしくは地面に近づいた時点）でハンドル４２から両手を離し、安全な場所に避難する。本実施形態の効果は、基本的には上述した実施形態１と同様であるが、高層ビルの比較的下層の階，あるいは中低層ビルからの脱出に好適である。
（３）実施形態３
次に、図６及び図７を参照して、本発明の実施形態３について説明する。上述した実施形態では、脱出者１４が、ビルの所定位置に設けられたロープ収納装置から引き出されたゴムロープを利用して、一気に地上付近まで降下することとした。しかしながら、中高層階や超高層階からの脱出を考えると、ジャンプ開始地点が高くなるにつれて、脱出者１４自身の降下スピードが増大し、脱出者１４が恐怖を感ずる恐れもある。そこで、本実施形態では、中高層階や超高層階などからの脱出にも好適な多段式の脱出装置を示す。
図６は、本実施形態にかかる脱出装置５０の配置と脱出の様子を示す図である。また、図７は、前記形態の移送装置の構成を示す図である。図７（Ａ）は、断面図，同図（Ｂ）は一部破断して示す斜視図である。なお、図７（Ｂ）を＃Ａ−＃Ａ線に沿って矢印方向に見た断面の状態が同図（Ａ）に相当する。
脱出装置５０は、図６に示すように、ロープ収納装置６０と複数の移送装置７０Ａ〜７０Ｃによって構成されている。ロープ収納装置６０は、ゴムロープ６４を引出可能に収納する軸６２と、補助ロープ６８を引出可能に収納する軸６６とを備えている。前記軸６２及び６６は、ロープ収納装置６０の側面に回転可能に支持されている。このようなロープ収納装置６０は、ビル５２の窓側などに設けられている。
ロープ収納装置６０に収納されるゴムロープ６４及び補助ロープ６８の長さは、それぞれ一回目の降下で脱出者１４を移送する長さに相当するように予め設定されている。すなわち、ゴムロープ６４は、一回目の降下のときに、所望の移送距離で伸び切った状態となるように予め設定されている。また、補助ロープ６８は、脱出者１４が移送装置７０Ｃを背負ってビル５２から飛び降りたときに、一回目の降下によって落下する地点で回動アーム７４を図６（Ｂ）に示す矢印ＦＡ方向に引っ張るように予め設定されている。
次に、移送装置７０Ａ〜７０Ｃについて説明する。まず、移送装置７０Ａは、上述したロープ収納装置６０と、ゴムロープ６４及び補助ロープ６８によって接続されている。図６及び図７に示すように、移送装置７０Ａには、上述したロープ収納装置６０に設けられているのと同様の構成のゴムロープ６４用の軸６２と補助ロープ６８の軸６６が設けられている。
このほか、移送装置７０Ａの略中央部には、軸７２が側面に対して回動可能に設けられている。軸７２の略中央部には、該軸７２と一体となって回動する回動アーム７４が固定されている。該回動アームの略Ｌ字状の先端７４Ａには、車輪７６が設けられている。上述したロープ収納装置６０から引き出されたゴムロープ６４は、この回動アームの先端７４Ａに、前記車輪７６にかかるようにして着脱可能に懸架されている。一方、回動アーム７４の他端側には、後述する移送装置７０Ｂに設けられた車輪と係合する溝７４Ｂが、回動アーム７４の長手部分を境にして前記先端７４Ａと反対の方向に形成されている。
一方、移送装置７０Ａの背面側の上方には、滑車７８が設けられている。上述した補助ロープ６８は、この滑車７８を介して前記回動アーム７４の曲折部に懸架・固定されている。なお、移送装置７０Ａに収納されるゴムロープ６４及び補助ロープ６８は、２回目の降下のときに、所望の移送距離で伸び切った状態となるように予め設定されている。
次に、移送装置７０Ｂには、前記移送装置７０Ａの構造に加えて、前記回動アーム７４の下端側の溝７４Ｂと係合して両移送装置間を着脱可能に連結するための係合軸８０が設けられている。該係合軸８０の略中央には、前記回動アームの溝７４Ｂと係合する車輪８２が設けられている。これによって、軸７２との交差部を支点として回動アーム７４が回動したときに、前記回動アームの溝７４Ｂが係合軸８０から外れやすくなる。移送装置７０Ｂに収納されるゴムロープ６４及び補助ロープ６８は、３回目の降下のときに、所望の移送距離で伸び切った状態となるように予め設定されている。すなわち、本実施形態の場合は、概略の着地地点で伸び切った状態となるように設定されている。
移送装置７０Ｃは、基本的には前記移送装置７０Ｂと同じ構成である。しかしながら、本実施形態では３回のジャンプによって脱出を終了する構成となっているため、移送装置７０Ｃには、上述したゴムロープ６４の収納用の軸６２や、補助ロープ６８の収納用の軸６６は設けられていない。また、下方に他の移送装置を設けることがないため、回動アーム７４のかわりに、Ｌ字アーム８４が設けられている。Ｌ字アームの先端８４Ａには、上述した車輪７６が設けられている。更に、脱出者１４が背負うことができるように、ベルト８６が外側正面に設けられている。
次に、本実施形態の作用を説明する。ビル５２から脱出を試みる脱出者１４は、図６（Ａ）に示すように、移送装置７０Ａ〜７０Ｃを背負って、ビル５２の窓などから飛び降りる。すると、ゴムロープ６４及び補助ロープ６８がロープ収納装置６０から引き出される。更に脱出者１４が落下すると、ゴムロープ６４が伸びるようになり、速度の最大点を過ぎると脱出者１４の速度は徐々に低下する。一方、補助ロープ６８は、続いてロープ収納装置６０から引き出される。
そして、図６（Ｂ）に示すように、補助ロープ６８は、脱出者１４が所望の地点まで落下すると、移送装置７０Ａの回動アーム７４を引っ張る。このため、ゴムロープ６４が車輪７６の回転を利用して回動アーム７４から外れる。従って、脱出者１４がゴムロープ６４の縮みによって再び上方に引き戻されることはない。以上のようにして移送装置７０Ａが所望の地点まで降下してゴムロープ６４が外れると、次に、該移送装置７０Ａに収納されたゴムロープ６４及び補助ロープ６８が引き出され始める。そして、上述した移送手順と同様に、移送装置７０Ｂが所定の位置まで落下すると、補助ロープ６８が伸び切って、今度は移送装置７０Ｂの回動アーム７４が回動して、ゴムロープ６４が外れる。
更に、同じようにして、移送装置７０Ｂに収納されたゴムロープ６４及び補助ロープ６８が引き出され、概略の着地地点に達したところで補助ロープ６８が伸び切ってゴムロープ６４が外れる。脱出者１４は、移送装置７０Ｃを外して安全な場所に避難する。以上のように、本実施形態によれば、３段階に分けて降下を行うこととしたので、ビルの高層階から脱出する際にも、過剰なスピードがでることを防ぎ、脱出者１４にかかる衝撃を回避することができる。
（４）実施形態４
次に、図８を参照して、本発明の実施形態４について説明する。本実施形態は、上述した実施形態３の脱出装置５０に、ベルト８６の代わりに脱出者１４の収容手段としてゴンドラを設けたものである。その他の基本的構成・作用・効果は、前記脱出装置５０と同様である。図８に示すように、本実施形態の脱出装置９０は、移送装置７０Ｃの側面に脱出者１４を収容して移送するためのゴンドラ９２が設けられている。該ゴンドラ９２の略中央部には、移送装置７０Ａ〜７０Ｃが連結した状態にあるときに、これら全体を覆うように窪み状の収納部９４が形成されている。図示の例では、ゴンドラ９２は二人乗りとなっている。
本実施形態によれば、前記実施形態３の効果に加え、脱出者１４がゴンドラ９２内に収容されており、降下時のスピードを直接外気に触れて感じることがないため、脱出者１４にかかる風圧などの負担を軽減することができる。また、ゴンドラ９２を不透明な材質のもので形成して脱出者１４の視界を遮ることにより、高所から降下する際の心理的負担も軽減することが可能である。
（５）他の実施形態
この発明には数多くの実施形態があり、以上の開示に基づいて多様に改変することが可能である。例えば、次のようなものも含まれる。
ａ，ゴムロープ及び補助ロープを手繰り寄せるか、ロープ収納装置にゴムロープ及び補助ロープの巻戻し手段を設けることで、再利用することが可能である。また、ゴムロープの伸縮の程度は、脱出者の重さによって代わるので、脱出者の重さに応じてゴムロープの長さを調整できる調整手段をゴムロープなどに設けるようにするとよい。逆に、脱出者が錘を持つようにして、脱出者の重さを概略一定にするようにしてもよい。図５には、その一例が示されており、脱出者１４は、腰にウエイト１００を付けている。脱出者１４とウエイト１００の合計の重さが略一定となるようにすることで、ゴムロープ２２の長さを一定とすることができる。
ｂ，前記実施形態で示した補助ロープによるゴムロープ取外手段も一例であり、公知の各種の機構を用いてよい。また、前記形態で示したハンドル４２も一例であり、同様の効果を奏するように適宜変更してよい。
ｃ，前記実施形態３では、３段階に分けて降下・脱出を行うこととしたが、移送装置の増減により、２段階で降下するようにしてもよいし、更に多段階で降下するようにしてもよい。
ｄ，前記実施形態４では、ゴンドラ９２を二人乗り用としたが、更に多数の脱出者を収容するようにしてもよいし、一人乗り用のゴンドラを複数移送装置に設けるようにしてもよい。また、これらゴンドラに、脱出者１４を固定するためのベルトや手すり等を設けるようにしてもよい。
ｅ，本発明は、建築物からの脱出が好適な例であるが、高所からの低所への降下ないし脱出一般に適用可能である。また、脱出者が着地する部位は、ビルのテラス上などでもよい。
「産業上の利用可能性」
以上説明したように、本発明によれば、ゴムロープを使用するとともに、着地の際に該ゴムロープを適切なタイミングで外すようにしたので、高所から低所への降下ないし脱出が可能となる。
特に、ビルの低層階のみならず、梯子車やヘリコプタなどによる救助が困難な中高層階や超高層階からの脱出・降下が可能となる。
【図面の簡単な説明】
図１は、本発明の実施形態１にかかる脱出装置の配置と脱出の様子を示す図，
図２は、本発明の実施形態１にかかる脱出装置の配置と脱出の様子を示す図，
図３は、前記実施形態１のロープ収納装置及び移送装置の構成を示す図，
図４は、前記実施形態１の移送装置からゴムロープが外れる様子を示す図，
図５は、本発明の実施形態２の脱出装置による脱出の様子を示す図，
図６は、本発明の実施形態３にかかる脱出装置の配置と脱出の様子を示す図，
図７は、前記実施形態３の移送装置の構成を示す図，
図８は、本発明の実施形態４の脱出装置による脱出の様子を示す図である。
【図１】
2003039678.tif 000003
【図２】
2003039678.tif 000004
【図３】
2003039678.tif 000005
【図４】
2003039678.tif 000006
【図５】
2003039678.tif 000007
【図６】
2003039678.tif 000008
【図７】
2003039678.tif 000009
【図８】
2003039678.tif 000010
【国際調査報告】
2003039678.tif 000011
2003039678.tif 000012